【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
各種操作を行う操作キーを備えた操作手段と、
報知を行う報知手段と、
着信中に前記操作手段の操作キーによって操作がされなかったとき、着信終了後に、前記報知手段によって着信があったことを所定の時間間隔で報知する着信報知手段と、
を備えた呼出装置。
【請求項２】
前記操作手段の操作キーによって操作がされた場合には、前記着信報知手段による報知を中止することを特徴とする請求項１に記載の呼出装置。
【請求項３】
前記報知手段はランプの点灯または点滅であることを特徴とする請求項１または請求項２のいずれかに記載の呼出装置。
【請求項４】
前記報知手段は鳴動音を発生することを特徴とする請求項１または請求項２のいずれかに記載の呼出装置。
【請求項５】
前記報知手段は振動を発生することを特徴とする請求項１または請求項２のいずれかに記載の呼出装置。
【請求項６】
前記報知手段はバックライトの点灯または点滅であることを特徴とする請求項１または請求項２のいずれかに記載の呼出装置。
【請求項７】
前記着信報知手段の報知する間隔時間、報知する継続時間、報知する回数のうちいずれかを設定変更することを特徴とする請求項１乃至請求項６のいずれかに記載の呼出装置。
【請求項８】
請求項１乃至請求項７のいずれかの呼出装置を備えたことを特徴とする通信装置。
【請求項９】
請求項１乃至請求項７のいずれかの呼出装置を備えたことを特徴とする電話装置。
【請求項１０】
各種操作を行う操作キーを備えた操作手段と、報知を行う報知手段と、を備えた呼出装置において、
着信中に前記操作手段の操作キーによって操作がされたか否かを検知する第１のステップと、
前記第１のステップで前記操作手段の操作キーによって操作がされなかったことが検知されたとき、着信終了後に、前記報知手段によって着信があったことを所定の時間間隔で報知する第２のステップを備えたことを特徴とする呼出方法。
【請求項１１】
前記第１のステップで前記操作手段の操作キーによって操作がされたことが検知されたとき、前記第２のステップでの着信報知手段による報知を中止する第３のステップ備えたことを特徴とする請求項１０に記載の呼出方法。
【請求項１２】
前記第２のステップの報知がランプの点灯または点滅であることを特徴とする請求項１０または請求項１１のいずれかに記載の呼出方法。
【請求項１３】
前記第２のステップの報知が鳴動音を発生することを特徴とする請求項１０または請求項１１のいずれかに記載の呼出方法。
【請求項１４】
前記第２のステップの報知が振動を発生することを特徴とする請求項１０または請求項１１のいずれかに記載の呼出方法。
【請求項１５】
前記第２のステップの報知がバックライトの点灯または点滅であることを特徴とする請求項１０または請求項１１のいずれかに記載の呼出方法。
【請求項１６】
前記第２のステップにおける報知の間隔時間、報知する継続時間、報知する回数のうちいずれかを設定変更する第４のステップ備えたことを特徴とする請求項１０から請求項１５のいずれかに記載の呼出方法。
【手続補正２】
【補正対象書類名】明細書
【補正対象項目名】発明の名称
【補正方法】変更
【補正の内容】
【発明の名称】呼出装置、呼出方法、通信装置、および電話装置
【手続補正３】
【補正対象書類名】明細書
【補正対象項目名】０００３
【補正方法】変更
【補正の内容】
【０００３】
しかし、たまたま着信に気が付かなかったとき、具体的には、回りの騒音や、携帯電話から離れていた等の理由の場合、携帯電話の画面を見るまで着信があったことに、気が付かなかった。
そこで、本発明の第１の目的は、着信があった場合に操作手段によって操作がされなかった場合に、着信終了後一定時間間隔で一定時間鳴動手段により鳴動させ、それを一定回数繰り返すことにより、着信があったことを所有者に知らせる呼出装置、呼出方法、通信装置および電話装置を提供することである。
本発明の第２の目的は、着信があった場合で操作手段によって操作がされなかった場合
に、着信終了後一定時間間隔で一定時間振動手段により振動させ、それを一定回数繰り返
すことにより、着信があったこと所有者に知らせる呼出装置、呼出方法を提供することである。
【手続補正４】
【補正対象書類名】明細書
【補正対象項目名】０００４
【補正方法】変更
【補正の内容】
【０００４】
本発明の第３の目的は、着信があった場合で操作手段によって操作がされなかった場合
に、着信終了後一定時間間隔で一定時間ランプ手段により点滅あるいは点灯させ、それを
一定回数繰り返すことにより、着信があったことを知らせる呼出装置、呼出方法を提供することである。
本発明の第４の目的は、着信があった場合で操作手段によって操作がされなかった場合
に、着信終了後一定時間間隔で一定時間表示部バックライト手段により点滅あるいは点灯
させ、それを一定回数繰り返すことにより、着信があったことを知らせる呼出装置、呼出方法を提供することである。
本発明の第５の目的は、間隔時間、鳴動あるいは振動あるいは点滅あるいは点灯時間、
繰り返し回数のいずれかを設定変更できるようにすることにより、使用者の使い勝手をよ
くした呼出装置、呼出方法を提供することである。
【手続補正５】
【補正対象書類名】明細書
【補正対象項目名】０００５
【補正方法】変更
【補正の内容】
【０００５】
請求項１記載の発明では、呼出装置において、各種操作を行う操作キーを備えた操作手段と、報知を行う報知手段と、着信中に前記操作手段の操作キーによって操作がされなかったとき、着信終了後に、前記報知手段によって着信があったことを所定の時間間隔で報知する着信報知手段と、を備えたことを特徴とする。
請求項２記載の発明では、請求項１記載の発明において、前記操作手段の操作キーによって操作がされた場合には、前記着信報知手段による報知を中止することを特徴とする。
【手続補正６】
【補正対象書類名】明細書
【補正対象項目名】０００６
【補正方法】変更
【補正の内容】
【０００６】
請求項３記載の発明では、請求項１または請求項２のいずれかに記載の呼出装置において、前記報知手段はランプの点灯または点滅であることを特徴とする。
請求項４記載の発明では、請求項１または請求項２のいずれかに記載の呼出装置において、前記報知手段は鳴動音を発生することを特徴とする。
【手続補正７】
【補正対象書類名】明細書
【補正対象項目名】０００７
【補正方法】変更
【補正の内容】
【０００７】
請求項５記載の発明では、請求項１または請求項２のいずれかに記載の呼出装置において、前記報知手段は振動を発生することを特徴とする。
請求項６記載の発明では、請求項１または請求項２のいずれかに記載の呼出装置において、前記報知手段はバックライトの点灯または点滅であることを特徴とする。
請求項７記載の発明では、請求項１乃至請求項６のいずれかに記載の呼出装置において、前記着信報知手段の報知する間隔時間、報知する継続時間、報知する回数のうちいずれかを設定変更することを特徴とする。
請求項８記載の発明では、通信装置が、請求項１乃至請求項７のいずれかの呼出装置を備えたことを特徴とする。
請求項９記載の発明では、電話装置が、請求項１乃至請求項７のいずれかの呼出装置を備えたことを特徴とする。
請求項１０記載の発明では、各種操作を行う操作キーを備えた操作手段と、報知を行う報知手段と、を備えた呼出装置において、呼出方法が、着信中に前記操作手段の操作キーによって操作がされた否かを検知する第１のステップと、前記第１のステップで前記操作手段の操作キーによって操作がされなかったことが検知されたとき、着信終了後に、前記報知手段によって着信があったことを所定の時間間隔で報知する第２のステップを備えたことを特徴とする。
請求項１１記載の発明では、請求項１０に記載の呼出方法において、前記第１のステップで前記操作手段の操作キーによって操作がされたことが検知されたとき、前記第２のステップでの着信報知手段による報知を中止する第３のステップを備えたことを特徴とする。
請求項１２記載の発明では、請求項１０または請求項１１のいずれかに記載の呼出方法が、前記第２のステップの報知がランプの点灯または点滅であることを特徴とする。
請求項１３記載の発明では、請求項１０または請求項１１のいずれかに記載の呼出方法が、前記第２のステップの報知が鳴動音を発生することを特徴とする。
請求項１４記載の発明では、請求項１０または請求項１１のいずれかに記載の呼出方法において、前記第２のステップの報知が振動を発生することを特徴とする。
請求項１５記載の発明では、請求項１０または請求項１１のいずれかに記載の呼出方法において、前記第２のステップの報知がバックライトの点灯または点滅であることを特徴とする。
請求項１６記載の発明では、請求項１０から請求項１５のいずれかに記載の呼出方法において、前記第２のステップにおける報知の間隔時間、報知する継続時間、報知する回数のうちいずれかを設定変更する第４のステップを備えたことを特徴とする。
【手続補正８】
【補正対象書類名】明細書
【補正対象項目名】０００８
【補正方法】変更
【補正の内容】
【０００８】
本発明では、着信があった場合で操作手段によって操作がされなかった場合に、着信終了後一定時間間隔で一定時間報知を行い、それを一定回数繰り返し、その間に操作手段による操作があれば報知させることを中止するので、着信時に着信に気が付かなくても、その後前記動作により着信があったことを確実に知らせることができ、また簡単に前記動作を終了させることが可能となる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】